(57)【要約】【課題】  建物開口部に対し、特別な取付枠を用いずにその取付ができる「折戸装置」を提供するに際し、コストパフォーマンスに優れた折戸装置を提供すること。【解決手段】  折戸装置Ａは少なくとも１組の折戸１、８からなり、各折戸は折畳み又は折広がる折戸１、８の振れを防止する振れ止め片１０と、戸車１１と、これら振れ止め片１０及び戸車１１の間に添えられる添え柱１２と、この添え柱１２に第１の蝶番１３Ａを介して取付けられる框１４と、この框面１４Ａに配置されているスラット２を備えたると共に、各折戸１、８を折畳み又は折広げ可能に取付ける第２の蝶番１３Ｂを備えてなり、建物開口部Ｂの枠Ｂ１に直接取付けられるようになっている。【選択図】        図１
2006219930.tif 000002
【特許請求の範囲】
【請求項１】
少なくとも１組の折戸からなる折戸装置であって、
各折戸は、それぞれ折戸の振れを防止する振れ止め片と、戸車と、これら振れ止め片及び戸車の間に添えられる添え柱と、この添え柱に第１の蝶番を介して取付けられる框と、この框面に配置されているスラットを備えると共に、各折戸を折畳み又は折広げ可能に取付ける第２の蝶番を備えてなることを特徴とする折戸装置。
【請求項２】
前記各戸は、前記開口部の横幅に対して略１／２の横寸法であることを特徴とする請求項１に記載の折戸装置。
【発明の詳細な説明】
【技術分野】
【０００１】
この発明は、集合住宅等の建物の開口部に取付けられることで、網戸の機能、雨戸の機能、日除けの機能、プライバシーの保護の機能並びに防犯性の機能を備えた折戸装置に関する。
【背景技術】
【０００２】
出願人は、雨戸の機能、通風性及び採光性を備えた日除けの機能、網戸の機能、プライバシーの保護の機能並びに防犯性の機能を備えた「折戸装置」を特願２００４−１９６８１１として出願しており、上記各機能をマルチ的に発揮できる「折戸装置」を提供せんとしている。
出願人は、このようなマルチ機能の「折戸装置」を社会に広く普及させるために、特別な取付枠を不要とするようなコストパフォーマンスに優れた「蝶番付き戸車を備えた折戸装置」の構想を得て、次モデルの「折戸装置」の開発を進めるなかで特許文献１を発見した。
この特許文献１は、壁面収納家具などの折戸形式の扉用の戸車に関するもので、この戸車は、本体の上面ないし下面の一方の中央側の水平面内に回転自在に設けられている横振れ防止用の第１滑車と、前記本体の上下面両側の垂直面内に回転自在に設けられている一対の直線走行用の第２滑車と、前記本体の側面側の水平面内に揺動自在に設けられる蝶番により蝶番付き戸車として、折戸形式の扉における直線走行機能と揺動機能との円滑化を図ることができるようにしている。
【特許文献１】特開平５−２４８１３７
【発明の開示】
【発明が解決しようとする課題】
【０００３】
しかし、この特許文献１の蝶番付き戸車をそのまま折戸装置に応用した場合に、次のような課題を指摘することができる。
まず第１に、特許文献１では複雑な戸車の構成によって、戸車のフラツキ（本体の横揺れ）を防止する等、走行動作等の安定性を図っているが、複雑な戸車の故にコストパフォーマンスに優れた「折戸装置」を提供することは困難な点である。
第２に、特許文献１では複雑な戸車の構成に合わせて、戸車用レールは断面略コ字形状とされ、また内側底面には第２滑車が遊嵌されて案内走行される案内溝が長手方向に沿って延在している特別なレールが必要になる。
その結果、出願人の構想である「特別な取付枠を不要とするようなコストパフォーマンスに優れた蝶番付き戸車を備えた折戸装置」から離れたものになっている点である。
【０００４】
そこで、本願発明では、蝶番付き戸車を用いた「折戸装置」を提供するに際し、コスト性に優れた折戸装置を提供することを目的とする。
【課題を解決するための手段】
【０００５】
上記課題を解決するため、少なくとも１組の折戸からなる折戸装置であって、各折戸は、折戸の振れを防止する振れ止め片と、戸車と、これら振れ止め片及び戸車の間に添えられる添え柱と、この添え柱に第１の蝶番を介して取付けられる框と、この框面に配置されているスラットをそれぞれ備えたると共に、各折戸を折畳み又は折広げ可能に取付ける第２の蝶番を備えてなることを特徴とする（請求項１に記載の発明）。
【０００６】
上記発明において前記各戸は、前記開口部の横幅に対して略１／２の横寸法であることを特徴とする（請求項２に記載の発明）。
【発明の効果】
【０００７】
本発明によれば、次のような効果を奏する。
１．折戸は建物開口部の枠に係合されることで折戸の振れを防止する振れ止め片と、建物開口部の枠を走行する戸車を備えているので、そのまま既存の建物開口部の枠に取付けることできるマルチ機能の折戸装置を提供できる。
２．特別な取付枠を必要としないことから、コストパフォーマンスに優れている。
３．振れ止め片及び戸車の間に添えられる添え柱によって、折戸の動作がスムースになる。
４．折戸装置を前記開口部の横幅に対して略１／２の横寸法にすることで、従来の網戸と同様な使い勝手で、且つ、日除けの機能を発揮させることができる。
【発明を実施するための最良の形態】
【０００８】
本発明に係る折戸装置について、その実施形態を図面に基づいて説明する。
図１は折戸装置の室外側からの外観図、図２は同装置の室内側からの外観図、
図３は同装置の縦断面図、図４は同装置の横断面図、図５は同装置の要部斜視図である。
図６は実施形態に係る折戸装置の揺動機構の要部側面図、図７は同装置の別例の揺動機構の分解斜視図、図８（ａ）〜（ｃ）は同揺動機構の要部断面図、図９は同揺動機構の動作説明図である。
上記各図及び後述の各図において、略同一の構成は同一の符号を用いて詳細な説明を省略する。
【０００９】
図１〜図５に示したように、折戸装置Ａは少なくとも１組の折戸１、８からなり、各折戸は折畳み又は折広がる折戸１、８の振れを防止する振れ止め片１０と、戸車１１と、これら振れ止め片１０及び戸車１１の間に添えられる添え柱１２と、この添え柱１２に第１の蝶番１３Ａを介して取付けられる框１４と、この框面１４Ａに配置されているスラット２を備えたると共に、各折戸１、８を折畳み又は折広げ可能に取付ける第２の蝶番１３Ｂを備えてなり、建物開口部Ｂの枠Ｂ１に直接取付けられるようになっている。
なお、折戸８は、折戸１と略同一に構成されているので、折戸１に代表させて説明する。
【００１０】
前記振れ止め片１０は、図５に示したように折畳み又は折広げられる折戸１の振れを防止すると共に、折戸１が前記建物開口部Ｂの枠Ｂ１に沿って走行する際のガイド片ともなるもので、前記建物開口部Ｂの枠Ｂ１を嵌込むことができるような溝１０Ａにより形成されている。
このような溝１０Ａは、ピース材等を前記添え柱１２の上端に固定して形成してもよいし、前記添え柱１２の上端を切欠いてそこに樹脂等を埋め込んで形成してもよい。
前記溝１０Ａは横断面の形状が略Ｕ字状に形成されているが、この略Ｕ字状に限定されるものでもなく、また、前記枠Ｂ１とその周囲の溝１０Ａの間に形成される隙間は、スムースに前記折戸１がスライド出来る程度にあればよい。
【００１１】
前記戸車１１は、前記枠Ｂ１に沿って走行するもので、ケース体１１Ａとこのケース体１１Ａに軸着されている車本体１１Ｂからなり、例えば２個の車本体が取付けられている。
この場合において、前記添え柱１２にケース体１１Ａを固着してもよいし、前記添え柱１２と一体的にケース体１１Ａを形成してもよい。
前記車本体１１Ｂには、その外周面の両端部から中心に向ってテーパが付けられた略Ｖ字状溝１１Ｃ（図３参照）が形成されており、このＶ溝式の車は種々の前記枠Ｂ１の形状に対応できるようになっている。
このＶ溝式によれば、既存の網戸レール（枠Ｂ１）との横ブレが起き難く、前記車本体１１Ｂの直進性が増すことになり、折戸１の操作性が向上する。
また前記車本体１１Ｂの回転を制動するブレーキをケース体１１Ａに取付けても良い。
【００１２】
前記添え柱１２は、前記振れ止め片１０及び前記戸車１１間を固定することで、前記振れ止め片１２及び前記戸車１１と前記第１の蝶番１３Ａ間に介在するもので、前記戸車１１に直接的に第１の蝶番１３Ａを取付けた場合に発生する不具合を解消できるようにするものである。
即ち、前記戸車１１に直接的に第１の蝶番１３Ａを取付けた場合、折戸１の折畳時や走行時に、戸車１１の左右方向への振れが大きくなること、その結果、前記振れ止め片１０との「ねじれ」が発生して、折戸１の折畳動作や走行動作がスムースに行えないという不具合が生じる。
これに対し、前記添え柱１２が前記振れ止め片１０及び前記戸車１１間を固定するので、前記振れ止め片１０及び前記戸車１１が一体的となり、前記振れ止め片１０の作用が前記戸車１１にも及ばされ、折戸１の折畳動作や走行動作がスムースに行える。
また、前記添え柱１２により、前記振れ止め片１０又は／及び前記戸車１１の取付け位置を調整できるので、前記折戸装置Ａの前記建物開口部Ｂに対する高さ調整が可能になる。
さらに、前記添え柱１２により前記戸車１１に下方向の力が作用して、前記戸車１１の走行の安定性が高まり、脱輪し難くなる。
【００１３】
図４に示したように、前記添え柱１２が前記枠Ｂ１に接する側面１２Ａには、枠Ｂ１方向に向けてヒレ１２Ｂが設けられ、折戸装置Ａを前記建物開口部Ｂの端部に寄せた場合に、前記枠Ｂ１と重合するようになっている。
一方、前記添え柱１２がガラス障子Ｇの召合框に対向する側面１２Ｃには、添え柱１２の上下方向に沿ってモヘア１２Ｄが取付けられている。
【００１４】
前記第１の蝶番１３Ａは、折畳み又は折広がる折戸１の回動軸となるもので、その一片が前記添え柱１２側に、他片が前記框１４側にそれぞれ固定されている。
前記第１の蝶番１３Ａは、添え柱１２と框１４間の隙間を塞ぐことが出来る長尺状のものでもよいし、ピース状のものでもよい。
また前記蝶番１３Ａの取付け位置は、前記添え柱１２及び框１４の室外側でもよいし室内側でもよい。
前記蝶番１３Ｂも、各框１４間を隙間を塞ぐことができる長尺状のものでもよいし、ピース状のものでもよい。この場合に図４のように蝶番１３Ｂの室外側の各框１４にクッション材を取付けてもよい。
また、前記蝶番１３Ｂには折戸１、８を折広がり方向に常時付勢するバネ等組み込んでもよい。
さらに、前記蝶番１３Ａは添え柱１２及び／又は框１４と一体的に設けても良いし、前記蝶番１３Ｂも左右の框１４及び／又は框１４と一体的に設けても良い。
【００１５】
前記框１４は図３及び図４に図示するように、ルーバー用框１６と網戸用框１７とからなり、ルーバー用框１６は上下左右框１６Ａ〜１６Ｄと、中框１６Ｅと、中框１６Ｅの上下の各框面１４Ａに配置されている複数のスラット２と、これらスラット２の揺動機構を備えている。
【００１６】
前記網戸用框１７は、前記各框面１４Ａをカバーできるように前記上下左右框１６Ａ〜１６Ｄ及び中框１６Ｅの室内側に配置されている。
そして、網目部材Ｄ１は前記網戸用框１７の網目取付枠Ｄにロッド部材Ｄ２を押し込むことで取付けられている。
【００１７】
前記スラット２は、図３のように上下に隣接するスラット２が重合する重合シロ２０を備える共に、スラット２の中心の室内側に揺動軸部２１が形成されている。
【００１８】
このスラット２に対する揺動機構の構成例を、前記折戸１の中框１６Ｅ上方のスラット２を揺動させる揺動機構に代表させて説明する。
この揺動機構は、例えば図６のように室内側の框１４に取付けられた操作スライダー１５と、この操作スライダー１５の昇降動作に連動するカム片１５Ａと、このカム片１５Ａの昇降動作を回動動作に変換させるピン１５Ｂと、そのピン１５Ｂの回動力をバー部材１５Ｄに伝達する第１の伝達部材１５Ｃと、そのバー部材１５Ｄの回転力を各スラット２に伝達する第２の伝達部材１５Ｅからなっている。
なお、前記操作スライダー１５は任意の昇降位置で停止でき、スラット２の開閉角度を調整できるようになっている。
【００１９】
また図７及び図８に示す揺動機構でもよい。
即ち、この揺動機構は、前記框１４に取付けられた操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００２０】
前記操作スライダー１５のスライダー本体１５２は、その両側面に前記ねじりバー３を貫通させる孔１５３を設けている。
前記孔１５３の内部には、図８（ａ）に示したようにその略中央に前記孔１５３の開口を狭める壁１５６、１５６と、これらの壁１５６、１５６の先端間に形成されるスリット状の口１５７を備えている。
このスリット状の口１５７の幅は、前記ねじりバー３の厚さと略同一である。
【００２１】
前記スライダー本体１５２の壁１５６、１５６の各先端は、その横方向の断面形状がラウンド状に形成され、かつ、前記ねじりバー３の長さ方向に対して略直交に位置する（図９参照）。
よって、前記スライダー本体１５２の壁１５６、１５６は、前記ねじりバー３に対して線状に接触することで、前記スライダー本体１５１に「ガタツキ」が生じることなく、スムーズにスライドさせることができる。
また、仮に前記孔１５３をねじりバー３の「ねじれ」にそって忠実に形成すると、操作スライダー１５を操作する際に、「ガタ」が生じ、一方、全てのねじりバー３に全く同一の「ねじれ」を形成させることの困難性が解消する。
【００２２】
前記開口部Ｂの枠Ｂ１は、典型的には窓枠に一体的に形成された網戸用の網戸枠でよく、新設の窓の網戸枠のみならず、既設の窓枠の網戸枠にも前記折戸装置Ａを取付けることができる。
この場合に、前記開口部Ｂに対し高さ調整した折戸装置Ａを前記枠Ｂ１にケンドン式に吊り込めばよく、特別な冶具は不要である。
なお、窓枠と一体的な網戸枠がない場合には、アタッチ材として窓枠等に枠Ｂ１を固定してもよい。
【００２３】
上記のように構成された折戸装置Ａの使用例を説明する。
Ａ．  前記開口部Ｂのガラス障子Ｇを開放し、その開放面に前記折戸装置Ａを配置し、前記操作スライダー１５をスライドさせて各スラット２を開放させることで、室内と室外間で通風し網戸の機能を発揮する。
この場合、上述のように前記添え柱１２の側面１２Ａのヒレ１２Ｂが前記枠Ｂ１と重合し、また前記添え柱１の側面１２Ｃのモヘア１２Ｄがガラス障子Ｇの召合框に接することとなり、さらに長尺状の第１及び第２の蝶番１３Ａ、１３Ｂにより、防虫機能が発揮される。
Ｂ．  前記開口部Ｂのガラス障子Ｇを開放した状態又は閉鎖した状態のいずれの場合にも、太陽光線の照射方向に対応させて、スラット２の開閉角度を調整したり、前記開口部Ｂの横幅の範囲内で各折戸１と８をスライドさせることで、日除け機能を発揮させることができる。
Ｃ．  外部からの視線がスラット２の存在により、切断されプライバシーの保護を図ることができる。
Ｄ．  各折戸１と８を折畳むことで、開口部Ｂの全面を採光面とすることができる。
なお、上記の各状態において、前記車本体１１Ｂに対するブレーキを操作することで、各折戸１と８を動きを規制することができる。
Ｅ．  前記折戸装置Ａに隣接させて、もう一組の折戸装置Ａを前記開口部Ｂに配置し、各スラット２を閉じることで、雨戸機能が発揮される。
【００２４】
上記実施形態では、各折戸１と８が外側に折れるようになっているが、室内側への内折れでもよい。
また、各折戸１と８に網目部材Ｄ１を付けなくてもよく、この場合ガラリとしの使用態様になる。
【図面の簡単な説明】
【００２５】
【図１】折戸装置の室外側正面図、
【図２】同装置の室内側正面図、
【図３】同装置の縦方向断面図、
【図４】同装置の横方向の断面図、
【図５】同装置の要部斜視図、
【図６】同装置の揺動機構の要部側面図、
【図７】同装置の別例の揺動機構の斜視図、
【図８】（ａ）〜（ｃ）揺動機構の要部断面図、
【図９】揺動機構の動作説明図。
【符号の説明】
【００２６】
Ａ  折戸装置
Ｂ  開口部
Ｂ１  枠
Ｇ  ガラス障子
１、８  折戸                          ２  スラット
３  ねじりバー                        ４  バー部材
５  第１の伝達部材                    ６  第２の伝達部材
７  スラットホルダ                    １０  振れ止め片
１１  戸車                            １２  添え柱
１３Ａ  第１の蝶番                    １３Ｂ  第２の蝶番
１４  框
１４Ａ  框面
１５  操作スライダー                  ３０  一端
３１  他端                            ３２  回転軸
３３  軸受                            ４０、４１  孔
５０  第１の伝達部材の一端            ５１  他端
６０  第２の伝達部材の一端            ６１  他端
７０  回転軸
７１  鍔部                            ７２  楔部
１５０  摘み片                        １５１  ストッパー片
１４２  スライド枠
１５２  スライダー本体                １５３  孔
１５４  凹部                          １５５  孔
１５６、１５６  壁
１５７  スリット状の口
３２０  固定円柱部                    ３２１  回転部
３２２  ４角孔                        ３２３  段差
【図１】
2006219930.tif 000003
【図２】
2006219930.tif 000004
【図３】
2006219930.tif 000005
【図４】
2006219930.tif 000006
【図５】
2006219930.tif 000007
【図６】
2006219930.tif 000008
【図７】
2006219930.tif 000009
【図８】
2006219930.tif 000010
【図９】
2006219930.tif 000011